(57)【要約】【課題】コストや手間を低減しながらも屋根を葺き替えてその屋根に太陽電池アレイ等の装置を設置することができる装置の設置方法、および、コストや手間を低減しながらも屋根を葺き替えることができる屋根の葺き替え方法を提供する。【解決手段】装置Ｓの設置方法は、（１）複数の屋根面のうち特定の屋根面１ｃについてのみ既存の屋根材２ｃを取り外す工程と、（２）特定の屋根面１ｃに新規のシート状下地防水材１６を敷設する工程と、（３）新規のシート状下地防水材１６の端部を防水テープ１１により貼着する工程と、（４）装置用の取付具２０に対応する特定の屋根材１２ｃを特定の屋根面１ｃに葺く工程と、（５）特定の屋根面１ｃと既存の屋根面１ｂとの間の棟部１ｆに棟包金物１８を被せ固定する工程と、（６）取付具２０を介して特定の屋根面１ｃに装置Ｓを取り付ける工程と、を含む。【選択図】図４
2014101736.tif 000002
【特許請求の範囲】
【請求項１】
棟部によって区画された複数の屋根面を有する既存の勾配屋根において屋根材を葺き替え、屋根材が葺き替えられた屋根面に装置を設置する装置の設置方法であって、
（１）前記複数の屋根面のうち特定の屋根面についてのみ既存の屋根材を取り外す工程と、
（２）前記特定の屋根面に新規のシート状下地防水材を敷設する工程と、
（３）前記新規のシート状下地防水材の端部を防水テープにより貼着する工程と、
（４）前記装置用の取付具に対応する特定の屋根材を前記特定の屋根面に葺く工程と、
（５）前記特定の屋根面と当該屋根面に隣接する既存の屋根材が葺かれた屋根面との間の棟部に棟包金物を被せ固定する工程と、
（６）前記取付具を介して前記特定の屋根面に前記装置を取り付ける工程と、
を含む、装置の設置方法。
【請求項２】
前記装置は太陽電池アレイである、請求項１記載の装置の設置方法。
【請求項３】
前記特定の屋根材は、前記既存の屋根材よりも軽量である、請求項１または２記載の装置の設置方法。
【請求項４】
棟部によって区画された複数の屋根面を有する既存の勾配屋根において屋根材を葺き替える屋根の葺き替え方法であって、
（１）前記複数の屋根面のうち特定の屋根面についてのみ既存の屋根材を取り外す工程と、
（２）前記特定の屋根面に新規のシート状下地防水材を敷設する工程と、
（３）前記新規のシート状下地防水材の端部を防水テープにより貼着する工程と、
（４）前記特定の屋根面に新規の屋根材を葺く工程と、
（５）前記特定の屋根面と当該屋根面に隣接する既存の屋根材が葺かれた屋根面との間の棟部に棟包金物を被せ固定する工程と、
を含む、屋根の葺き替え方法。
【請求項５】
前記新規の屋根材の厚み、形状、または材質は、前記既存の屋根材の厚み、形状、または材質とは異なる、請求項４記載の屋根の葺き替え方法。
【発明の詳細な説明】
【技術分野】
【０００１】
本発明は、葺き替えられた屋根への装置の設置方法および屋根の葺き替え方法に関する。
【背景技術】
【０００２】
従来、特許文献１に記載されるように、屋根面を増築する際における、既存の屋根材と新設する屋根材との接続部分における葺き替え方法が知られている。この方法では、棟部を超えるように屋根面の葺き替え領域を設定する。そして、既存のルーフィングシートを残して既存の屋根材を除去し、既存のルーフィングシート上に新規のルーフィングシートを敷き込み、その上に新規の屋根材を敷設する。
【先行技術文献】
【特許文献】
【０００３】
【特許文献１】特開２００６−０２８９２８号公報
【発明の概要】
【発明が解決しようとする課題】
【０００４】
ところで、近年、既存の建物の勾配屋根に太陽電池アレイ等の装置を取り付けることが多くなっている。この場合、屋根材に対応した金具を介して装置を取り付ける。しかし、屋根材の厚み、形状、材質は多種多様であり、すべての屋根材に対応できるように金具が用意されているわけではない。そのため、既存の建物の勾配屋根に太陽電池アレイを後設置する際は、金具に対応する屋根材への葺き替えが必要になることがある。
【０００５】
しかし、従来の技術では、シート状下地防水材であるルーフィングシート（若しくはアスファルトルーフィング）を棟部の反対側まで敷き込むため、屋根材を全面的に葺き替えるのが一般的であった。よって、従来の方法ではコストや手間がかかっていた。特許文献１に記載の方法では、新規の屋根面に新規の屋根材を設置することができるが、既存の屋根の葺き替えに対しては、コストや手間の問題を解決できない。
【０００６】
本発明は、特定の屋根面の屋根材のみを葺き替え可能とすることにより、コストや手間を低減しながらも屋根を葺き替えてその屋根に太陽電池アレイ等の装置を設置することができる装置の設置方法、および、コストや手間を低減しながらも屋根を葺き替えることができる屋根の葺き替え方法を提供することを目的とする。
【課題を解決するための手段】
【０００７】
本発明の装置の設置方法は、棟部によって区画された複数の屋根面を有する既存の勾配屋根において屋根材を葺き替え、屋根材が葺き替えられた屋根面に装置を設置する装置の設置方法であって、
（１）複数の屋根面のうち特定の屋根面についてのみ既存の屋根材を取り外す工程と、
（２）特定の屋根面に新規のシート状下地防水材を敷設する工程と、
（３）新規のシート状下地防水材の端部を防水テープにより貼着する工程と、
（４）装置用の取付具に対応する特定の屋根材を特定の屋根面に葺く工程と、
（５）特定の屋根面と当該屋根面に隣接する既存の屋根材が葺かれた屋根面との間の棟部に棟包金物を被せ固定する工程と、
（６）取付具を介して特定の屋根面に装置を取り付ける工程と、を含む。
【０００８】
この装置の設置方法によれば、新規のシート状下地防水材の端部を防水テープにより貼着するため、特定の屋根面についてのみ屋根材を葺き替える場合でも、防水性能を満足することができる。また、特定の屋根面のみの屋根材を特定の屋根材に葺き替え可能であるため、コストや手間が低減される。さらに、装置用の取付具に対応する特定の屋根材を特定の屋根面に葺くことにより、コストや手間を低減しながらも、特定の屋根面に対して装置を後設置することができる。
【０００９】
また、装置の設置方法において、装置は太陽電池アレイである。太陽電池アレイは、取付具が特殊であることが多く、ある特定の屋根材にしか設置できない。この方法によれば、太陽電池アレイ用の取付具に対応する特定の屋根材を特定の屋根面に葺くことにより、コストや手間を低減しながらも、特定の屋根面に対して太陽電池アレイを後設置することができる。
【００１０】
また、装置の設置方法において、特定の屋根材は、既存の屋根材よりも軽量である。この方法によれば、装置の重量が追加される一方で、屋根材の重量が減少する。よって、装置の重量による増加分と屋根材の重量の減少分とで重量が相殺されて、建物の構造安全性を確保しやすい。
【００１１】
本発明の屋根の葺き替え方法は、棟部によって区画された複数の屋根面を有する既存の勾配屋根において屋根材を葺き替える屋根の葺き替え方法であって、
（１）複数の屋根面のうち特定の屋根面についてのみ既存の屋根材を取り外す工程と、
（２）特定の屋根面に新規のシート状下地防水材を敷設する工程と、
（３）新規のシート状下地防水材の端部を防水テープにより貼着する工程と、
（４）特定の屋根面に新規の屋根材を葺く工程と、
（５）特定の屋根面と当該屋根面に隣接する既存の屋根材が葺かれた屋根面との間の棟部に棟包金物を被せ固定する工程と、を含む。
【００１２】
この屋根の葺き替え方法によれば、新規のシート状下地防水材の端部を防水テープにより貼着するため、特定の屋根面についてのみ屋根材を葺き替える場合でも、防水性能を満足することができる。また、特定の屋根面のみの屋根材を特定の屋根材に葺き替え可能であるため、コストや手間が低減される。
【００１３】
また、屋根の葺き替え方法において、新規の屋根材の厚み、形状、または材質は、既存の屋根材の厚み、形状、または材質とは異なる。この方法によれば、既存の屋根材が太陽電池アレイ等の装置の取付具に対応していない場合であっても、その取付具に対応する新規の屋根材を用意することにより、特定の屋根面に対して太陽電池アレイ等の装置を後設置することができる。
【発明の効果】
【００１４】
本発明の装置の設置方法によれば、特定の屋根面の屋根材のみを葺き替え可能とすることにより、コストや手間を低減しながらも屋根を葺き替えてその屋根に太陽電池アレイ等の装置を設置することができる。本発明の屋根の葺き替え方法によれば、特定の屋根面の屋根材のみを葺き替え可能とすることにより、コストや手間を低減しながらも屋根を葺き替えることができる。
【図面の簡単な説明】
【００１５】
【図１】（ａ）および（ｂ）は、本発明の実施形態が適用される勾配屋根を模式的に示す平面図である。
【図２】勾配屋根の隅棟における断面図である。
【図３】新規のシート状下地防水材を敷設する工程を示す図である。
【図４】新規のシート状下地防水材の端部を防水テープにより貼着する工程を示す図である。
【図５】屋根材を葺き替えた後の隅棟における断面図である。
【図６】（ａ）は、特定の屋根面に太陽電池アレイの取付具を固定した状態を示す斜視図、（ｂ）は、（ａ）中の取付具を拡大して示す斜視図である。
【図７】図６（ａ）の取付具に横ラックを設置した状態を示す斜視図である。
【図８】図７の横ラックに太陽電池アレイを設置した状態を示す斜視図である。
【図９】屋根材を葺き替えた後の隅棟における断面図であり、他の形態の棟包金物を用いた場合を示す断面図である。
【発明を実施するための形態】
【００１６】
以下、本発明の実施形態について、図面を参照しながら説明する。なお、図面の説明において同一要素には同一符号を付し、重複する説明は省略する。
【００１７】
図１（ａ）に示されるように、本実施形態の屋根の葺き替え方法は、複数の棟部１ｅ，１ｆによって区画された複数の屋根面１ａ，１ｂ，１ｃ，１ｄを有する既存の勾配屋根１に適用されて、複数の屋根面１ａ，１ｂ，１ｃ，１ｄのうち特定の屋根面においてのみ屋根材を葺き替える方法である。また、装置の設置方法は、屋根材が葺き替えられた特定の屋根面に、太陽電池アレイＳ（図８参照）等の装置を設置する方法である。特定の屋根面は、複数の屋根面１ａ，１ｂ，１ｃ，１ｄのうち一部の屋根面であり、一または複数の屋根面である。
【００１８】
勾配屋根１は、寄棟屋根であり、４つの屋根面１ａ，１ｂ，１ｃ，１ｄを有する。屋根面１ａ，１ｂの間には、水平に延びる大棟（棟部）１ｅが設けられている。屋根面１ａの長辺方向における両端、すなわち屋根面１ａと屋根面１ｃ，１ｄとの間には、大棟１ｅの両端から軒先に向けて下がる隅棟（棟部）１ｆ，１ｆが設けられている。屋根面１ｂの長辺方向における両端、すなわち屋根面１ｂと屋根面１ｃ，１ｄとの間には、大棟１ｅの両端から下方に傾斜して延びる隅棟（棟部）１ｆ，１ｆが設けられている。
【００１９】
なお、図１（ｂ）に示されるように、本実施形態の屋根の葺き替え方法は、水平に延びる大棟１ｋによって区画された屋根面１ｇ，１ｈを有する既存の勾配屋根１Ａに適用されてもよい。勾配屋根１は、切妻屋根である。この場合、屋根面１ｇおよび屋根面１ｈいずれか一方の屋根面においてのみ屋根材が葺き替えられる。なお、本実施形態の屋根の葺き替え方法は、寄棟屋根と切妻屋根を組み合わせたいわゆる入母屋屋根（図示せず）に適用されてもよい。
【００２０】
以下の説明では、寄棟屋根である勾配屋根１の特定の屋根面１ｃに太陽電池アレイＳを設置する場合について説明する。図２に示されるように、隅棟１ｆにおける隅棟部構造Ａは、隅棟ラインＬを通る鉛直面に対して対称な構造を有する。隅棟部構造Ａは、垂木３ｂ，３ｃと、垂木３ｂ，３ｃ上に配置された野地板４ｂ，４ｃと、野地板４ｂ，４ｃ上に敷設されたシート状下地防水材であるルーフィング６とを有する。さらに、隅棟部構造Ａは、ルーフィング６上に固定された屋根材２ｂ，２ｃと、屋根材２ｂ，２ｃ上で隅棟ラインＬの両側に沿って配置された笠木７ｂ，７ｃと、笠木７ｂ，７ｃ上に被さるように配置されて固定された棟包金物８とを有する。なお、隅棟部構造Ａは、垂木３ｂ，３ｃの間に棟木が配置された構造であってもよい。
【００２１】
図２では、ルーフィング６を簡略化して一層で図示しているが、実際には、複数のルーフィング（屋根面１ｂに貼られたルーフィング６ｂと屋根面１ｃに貼られたルーフィング６ｃ、図３参照）が隅棟ラインＬ付近で重ね合わされている。
【００２２】
垂木３ｂ、野地板４ｂおよび屋根材２ｂは、既存の屋根面１ｂを構成している。垂木３ｃ、野地板４ｃおよび屋根材２ｃは、太陽電池アレイＳが設置される特定の屋根面１ｃを構成している。屋根面１ｂには、複数の屋根材２ｂの端部同士が重ね合されるようにして、複数の屋根材２ｂが設置されている。屋根面１ｃには、複数の屋根材２ｃの端部同士が重ね合されるようにして、複数の屋根材２ｃが設置されている。屋根面１ｂの屋根材２ｂと、屋根面１ｃの屋根材２ｃとは、同一の屋根材である。特定の屋根面１ｃは、南向きの屋根面であってもよく、南向き以外の方向に面する屋根面であってもよい。
【００２３】
太陽電池アレイＳが設置される屋根面１ｃの屋根材２ｃは、太陽電池アレイＳを設置するための取付金具（取付具）２０（図６（ａ），（ｂ）参照）に対応していない。すなわち、屋根材２ｃの厚み、形状、または材質が、太陽電池アレイＳ設置用の取付金具２０に対応していない。言い換えれば、強度面もしくは構造面において、屋根材２ｃに取付金具２０を固定することはできない。そのため、屋根材２ｃを別の特定の屋根材１２ｃに葺き替える必要がある。
【００２４】
図３〜図８を参照して、屋根面１ｃの屋根材２ｃの葺き替え方法および太陽電池アレイＳの設置方法について説明する。以下の説明では、屋根面１ｃと屋根面１ｂとの間の隅棟１ｆにおける施工方法について説明するが、屋根面１ｃと屋根面１ａとの間の隅棟１ｆにおいても、同様の施工が行われる。
【００２５】
まず、隅棟１ｆにおいて、棟包金物８および屋根面１ｃ側の笠木７ｃを取り外す。さらに、屋根面１ｃについてのみ、屋根材２ｃを取り外す。屋根面１ｃに設置された屋根材２ｃは、すべて取り外される。これにより、屋根面１ｃにおいて、既存のルーフィング６が露出する。
【００２６】
次に、図３に示されるように、屋根面１ｃに新規のルーフィング（シート状下地防水材）１６を敷設する。この工程では、既存のルーフィング６ｃ上に、新規のルーフィング１６を敷設する。新規のルーフィング１６は、隅棟ラインＬの手前まで設置される。言い換えれば、ルーフィング１６の隅棟ラインＬ側の端部は、隅棟ラインＬから離間している。屋根面１ｂの屋根材２ｂおよび笠木７ｂは取り外されていないので、ルーフィング１６が、隅棟ラインＬを超えて敷設されることはない。
【００２７】
次に、図４に示されるように、新規のルーフィング１６の隅棟ラインＬ側の端部を防水テープ１１により貼着する。この工程により、新規のルーフィング１６は、既存のルーフィング６ｃと一体化される。防水テープ１１としては、公知の材料を用いることができる。
【００２８】
次に、図５に示されるように、屋根面１ｃに特定の屋根材１２ｃを葺く。この特定の屋根材１２ｃは、太陽電池アレイＳを設置するための取付金具２０（図６（ａ），（ｂ）参照）に対応するものである。図５に示す例では、屋根材１２ｃの厚みは、既存の屋根材２ｃの厚みよりも大きく（厚く）なっている。しかも、屋根材１２ｃは、既存の屋根材２ｃよりも軽量である。屋根材１２ｃとしては、なお、取付金具２０に対応する屋根材として、屋根材２ｃとは形状が異なる屋根材を採用してもよく、屋根材２ｃとは材質が異なる屋根材を採用してもよい。屋根材１２ｃは、公知の方法によってルーフィング１６上に固定される。
【００２９】
次に、隅棟ラインＬに沿うようにして、屋根材１２ｃ上に新規の笠木１７ｃを固定する。屋根材１２ｃが屋根材２ｃよりも厚くなった分、この笠木１７ｃは、既存の笠木７ｃよりも薄くなっている。
【００３０】
次に、隅棟ラインＬ上において、屋根面１ｂと屋根面１ｃとに跨るように新規の棟包金物１８を被せ固定する。言い換えれば、特定の屋根面１ｃと屋根面１ｃに隣接する既存の屋根材２ｃが葺かれた屋根面１ｂとの間の隅棟１ｆに、棟包金物１８を被せ、固定する。棟包金物１８は、屋根面１ｂ側の一端部１８ａが既存の笠木７ｂに合わせた形状とされている。よって、この工程では、棟包金物１８を新規の笠木１７ｃに合わせるため、棟包金物１８の他端部１８ｂの折曲部１８ｃを広げる加工を行う。
【００３１】
以上の工程により、屋根面１ｃのみ屋根材１２ｃが張り替えられた隅棟部構造Ｂが完成する。隅棟部構造Ｂにおいて、屋根面１ｂ側は変更されていない。隅棟構造Ｂの屋根面１ｃ側には、追加で設置されたルーフィング１６と、防水テープ１１と、新規の屋根材１２ｃと、新規の笠木１７ｃとが設けられている。
【００３２】
さらに、図６（ａ）に示されるように、屋根面１ｃの屋根材１２ｃに複数の取付金具２０を固定する。各取付金具２０は、ビス２２によって、屋根材１２ｃに対して固定される（図６（ｂ）参照）。複数の取付金具２０は、互いに所定の間隔を有して、水平方向に配列される。
【００３３】
次に、図７に示されるように、取付金具２０上に複数の横ラック２１が固定される。そして、図８に示されるように、横ラック２１上に、複数の太陽電池モジュールＭから構成された太陽電池アレイＳが取り付けられる。
【００３４】
以上説明した太陽電池アレイＳの設置方法および屋根の葺き替え方法によれば、新規のルーフィング１６の端部を防水テープ１１により貼着するため、特定の屋根面１ｃについてのみ屋根材を葺き替える場合でも、防水性能を満足することができる。また、特定の屋根面１ｃのみの屋根材を特定の屋根材１２ｃに葺き替え可能であるため、屋根面全面を葺き替える場合に比して、コストや手間が低減される。さらに、太陽電池アレイＳ用の取付金具２０に対応する特定の屋根材１２ｃを特定の屋根面１ｃに葺くことにより、コストや手間を低減しながらも、特定の屋根面１ｃに対して太陽電池アレイＳを後設置することができる。
【００３５】
また、太陽電池アレイＳは、取付金具２０が特殊であることが多く、ある特定の屋根材（たとえば屋根材１２ｃ）にしか設置できない。上記の方法によれば、太陽電池アレイＳ用の取付金具２０に対応する特定の屋根材１２ｃを特定の屋根面１ｃに葺くことにより、コストや手間を低減しながらも、特定の屋根面１ｃに対して支障なく太陽電池アレイＳを後設置することができる。
【００３６】
また、特定の屋根材１２ｃは、既存の屋根材２ｃよりも軽量であるため、太陽電池アレイＳの重量が追加される一方で、屋根材１２ｃの重量が減少する。よって、太陽電池アレイＳの重量による増加分と屋根材１２ｃの重量の減少分とで重量が相殺されて、建物の構造安全性が確保しやすくなっている。
【００３７】
また、新規の屋根材１３ｃの厚み、形状、または材質は、既存の屋根材２ｃの厚み、形状、または材質とは異なるため、既存の屋根材２ｃが太陽電池アレイＳ等の装置の取付金具２０に対応していない場合であっても、その取付金具２０に対応する新規の屋根材１２ｃを用意することにより、特定の屋根面１ｃに対して太陽電池アレイＳ等の装置を後設置することができる。
【００３８】
以上、本発明の実施形態について説明したが、本発明は上記実施形態に限られるものではない。たとえば、上記実施形態では、棟包金物１８の他端部１８ｂの折曲部１８ｃを広げる加工を行う場合について説明したが、図９に示されるように、棟包金物２８の屋根面１ｃの他端部２８ｂが新規の笠木７ｃに合わせた形状とされている場合、棟包金物２８を既存の笠木７ｂに合わせるため、棟包金物２８の一端部２８ａの折曲部２８ｃを広げる加工を行ってもよい。
【００３９】
また、本発明の屋根の葺き替え方法は、大棟１ｅ（図１（ａ）参照）の両側の寄せ屋根面１ａ，１ｂに適用してもよい。新規の棟包金物１８を用いずに、既存の棟包金物８を加工して取り付けてもよい。太陽電池アレイに限られず、他の装置を設置してもよい。装置を設置することなく、屋根材の葺き替えのみを行ってもよい。
【符号の説明】
【００４０】
１，１Ａ…勾配屋根、１ｂ…屋根面、１ｃ…特定の屋根面、２ｂ…既存の屋根材、２ｃ…新規の屋根材（特定の屋根材）、１１…防水テープ、１６…ルーフィング（シート状下地防水材）、１８…棟包金物、２０…取付金具（取付具）、Ｓ…太陽電池アレイ（装置）。
【図１】
2014101736.tif 000003
【図２】
2014101736.tif 000004
【図３】
2014101736.tif 000005
【図４】
2014101736.tif 000006
【図５】
2014101736.tif 000007
【図６】
2014101736.tif 000008
【図７】
2014101736.tif 000009
【図８】
2014101736.tif 000010
【図９】
2014101736.tif 000011